(57)【特許請求の範囲】
【請求項１】
複数の端末と、該複数の端末から受信する情報に基づき該複数の端末の駆動状態を制御する管理サーバとが情報のやりとりを行うネットワークを介して接続された使用電力量管理システムであって、
前記管理サーバは、
前記複数の端末の駆動状態を制御する駆動状態制御手段と、
前記複数の端末において所定時間帯に使用が予測される電力量である予測情報を各端末に要求する予測情報要求手段と、
を含み、
前記複数の端末は、
外部から一定の電力を供給可能な商用電源によって駆動する商用電源駆動手段と、
内蔵するバッテリによって駆動するバッテリ駆動手段と、
前記商用電源駆動手段によって駆動するとき前記バッテリを充電するか否かを制御する充電制御手段と、
を含み、
前記管理サーバは、
前記複数の端末に要求した前記予測情報を時間帯毎に計算することにより求められる総合使用電力量が、前記複数の端末の駆動に用いられる前記商用電源の合計電力量の上限値として前記管理サーバにおいて予め設定された最大電力量を超えないよう、前記バッテリ駆動手段による駆動、前記充電制御手段により前記バッテリを充電しない前記商用電源駆動手段による駆動、前記充電制御手段により前記バッテリを充電する前記商用電源駆動手段による駆動のうち、何れかの駆動によって前記複数の端末を駆動することを各端末に打診し、各端末の応答に従って各端末の駆動状態を制御することを特徴とする使用電力量管理システム。
【請求項２】
管理サーバは、前記ネットワークを介して前記複数の端末に対し前記複数の端末において所定時間帯に使用が予測される電力量が前記最大電力量となる予測情報を要求する情報要求手段と、前記複数の端末において前記所定時間帯に使用が予測される電力量の予測情報から各端末における前記最大電力量を超えない電力の駆動状態を検討する端末動作検討手段と、前記複数の端末の前記所定時間帯における電力量を把握し、前記電力の駆動状態のうち電力量が最も低くなるよう前記複数の端末の駆動状態を制御する端末動作制御手段と、前記複数の端末の駆動状態についての許可を得る問合せ手段と、を含むことを特徴とする請求項１に記載の使用電力量管理システム。
【請求項３】
前記複数の端末は、前記管理サーバからの前記所定時間帯に使用が予測される電力量の予測情報の要求に対して情報提供する情報提供手段と、所定の表示機構に前記複数の端末の駆動状態についての許可を得る打診情報を表示する表示手段と、所定の情報入力機構によりユーザから前記打診情報を許可するか否かの操作を受け付ける操作手段と、前記管理サーバからの前記駆動状態のうち使用する電力量が最も低くなる駆動状態についての問合せに対して回答する回答手段と、を含むことを特徴とする請求項１又は２記載の使用電力量管理システム。
【請求項４】
複数の端末と、該複数の端末から受信する情報に基づき該複数の端末の駆動状態を制御し、該複数の端末と情報のやりとりを行うネットワークを介して接続された管理サーバであって、
前記複数の端末の駆動状態を制御する駆動状態制御手段と、
前記複数の端末において所定時間帯に使用が予測される電力量である予測情報を各端末に要求する予測情報要求手段と、
を含み、
前記複数の端末に要求した前記予測情報を時間帯毎に計算することにより求められる総合使用電力量が、前記複数の端末の駆動に用いられ、外部から一定の電力を供給可能な商用電源の合計電力量の上限値として予め設定された最大電力量を超えないよう、前記複数の端末が内蔵するバッテリによる駆動、前記商用電源によって駆動するとき前記バッテリを充電しない前記商用電源による駆動、前記商用電源によって駆動するとき前記バッテリを充電する前記商用電源による駆動のうち、何れかの駆動によって前記複数の端末を駆動することを各端末に打診し、各端末の応答に従って各端末の駆動状態を制御することを特徴とする管理サーバ。
【請求項５】
前記ネットワークを介して前記複数の端末に対し前記複数の端末において所定時間帯に使用が予測される電力量が前記最大電力量となる予測情報を要求する情報要求手段と、前記複数の端末において前記所定時間帯に使用が予測される電力量の予測情報から各端末における前記最大電力量を超えない電力の駆動状態を検討する端末動作検討手段と、前記複数の端末の前記所定時間帯における電力量を把握し、前記電力の駆動状態のうち電力量が最も低くなるよう前記複数の端末の駆動状態を制御する端末動作制御手段と、前記複数の端末の駆動状態についての許可を得る問合せ手段と、を含むことを特徴とする請求項４に記載の管理サーバ。
【請求項６】
管理サーバが受信する情報に基づき駆動状態を制御され、前記管理サーバと情報のやり取りを行うネットワークを介して接続された複数の端末であって、
外部から一定の電力を供給可能な商用電源によって駆動する商用電源駆動手段と、
内蔵するバッテリによって駆動するバッテリ駆動手段と、
前記商用電源駆動手段によって駆動するとき前記バッテリを充電するか否かを制御する充電制御手段と、
をそれぞれ含み、
前記複数の端末の駆動状態を制御する駆動状態制御手段と、前記複数の端末において所定時間帯に使用が予測される電力量である予測情報を各端末に要求する予測情報要求手段と、を含む前記管理サーバから、前記複数の端末に要求された前記予測情報を時間帯毎に計算することにより求められる総合使用電力量が、前記複数の端末の駆動に用いられる前記商用電源の合計電力量の上限値として前記管理サーバにおいて予め設定された最大電力量を超えないよう、前記バッテリ駆動手段による駆動、前記充電制御手段により前記バッテリを充電しない前記商用電源駆動手段による駆動、前記充電制御手段により前記バッテリを充電する前記商用電源駆動手段による駆動のうち、何れかの駆動によって駆動することを打診され、自らの応答に従って前記自らの駆動状態を制御されることを特徴とする端末。
【請求項７】
前記管理サーバからの前記所定時間帯に使用が予測される電力量の予測情報の要求に対して情報提供する情報提供手段と、所定の表示機構に前記自らの駆動状態についての許可を得る打診情報を表示する表示手段と、所定の情報入力機構によりユーザから前記打診情報を許可するか否かの操作を受け付ける操作手段と、前記管理サーバからの前記駆動状態のうち使用する電力量が最も低くなる駆動状態についての問合せに対して回答する回答手段と、を含むことを特徴とする請求項６に記載の端末。
【請求項８】
複数の端末と、該複数の端末から受信する情報に基づき該複数の端末の駆動状態を制御する管理サーバとが情報のやりとりを行うネットワークを介して接続された使用電力量管理システムの制御方法であって、
前記管理サーバは、
前記複数の端末の駆動状態を制御する工程と、
前記複数の端末において所定時間帯に使用が予測される電力量である予測情報を各端末に要求する工程と、
を含み、
前記複数の端末は、
外部から一定の電力を供給可能な商用電源によって駆動する工程と、
内蔵するバッテリによって駆動する工程と、
前記商用電源によって駆動するとき前記バッテリを充電するか否かを制御する工程と、
を含み、
前記管理サーバは、
前記複数の端末に要求した前記予測情報を時間帯毎に計算することにより求められる総合使用電力量が、前記複数の端末の駆動に用いられる前記商用電源の合計電力量の上限値として前記管理サーバにおいて予め設定された最大電力量を超えないよう、前記バッテリによって駆動する工程、前記バッテリを充電しない前記商用電源によって駆動する工程、前記バッテリを充電する前記商用電源によって駆動する工程のうち、何れかの工程によって前記複数の端末を駆動することを各端末に打診し、各端末の応答に従って各端末の駆動状態を制御する工程と、を有することを特徴とする制御方法。
【請求項９】
複数の端末と、該複数の端末から受信する情報に基づき該複数の端末の駆動状態を制御する管理サーバとが情報のやりとりを行うネットワークを介して接続された使用電力量管理システムのコンピュータに実行させるプログラムであって、
前記管理サーバに、
前記複数の端末の駆動状態を制御する処理と、
前記複数の端末において所定時間帯に使用が予測される電力量である予測情報を各端末に要求する処理と、
を実行させ、
前記複数の端末に、
外部から一定の電力を供給可能な商用電源によって駆動する処理と、
内蔵するバッテリによって駆動する処理と、
前記商用電源によって駆動するとき前記バッテリを充電するか否かを制御する処理と、を実行させ、
前記管理サーバに、
前記複数の端末に要求した前記予測情報を時間帯毎に計算することにより求められる総合使用電力量が、前記複数の端末の駆動に用いられる前記商用電源の合計電力量の上限値として前記管理サーバにおいて予め設定された最大電力量を超えないよう、前記バッテリによって駆動する処理、前記バッテリを充電しない前記商用電源によって駆動する処理、前記バッテリを充電する前記商用電源によって駆動する処理のうち、何れかの処理によって前記複数の端末を駆動することを各端末に打診し、各端末の応答に従って各端末の駆動状態を制御する処理を実行させるためのプログラム。
【発明の詳細な説明】
【技術分野】
【０００１】
本発明は、電力供給元の最大（ピーク）電力を低減する技術に関する。
【背景技術】
【０００２】
これまでの電力（電源）供給システムにおいては、制御装置としての管理サーバ等が端末等の消費電力が電力供給元の最大電力を超える時に、他から電力供給を行うことで対応してきた。特に複数の端末等の使用タイミングが集中すると合計の消費電力が電力供給元の最大電力を超える場合がある。
【０００３】
また、最大（ピーク）電力を超える前に、管理サーバ等から端末等に対して電力低減を指示したり、または電力供給を低減もしくは停止したりする手法もあった。
【０００４】
また、予め決まった時間に端末等に対して電力供給を指示する手法もあった。
【０００５】
また、関連技術として、電力会社と契約する基本料金を低減することが可能な電力供給システムを提供するものがある。その構成は、移動通信装置の基地局内の機器の消費電力が設定値を越える場合は制御装置から例えば、Ｈレベルの切断制御信号ＣＳが生成され、その切断制御信号ＣＳに基づいて、制御部によりインバータ部が動作状態にされると共に切り替え部がインバータ部側に切り替えられ、インバータ部の生成した交流電源が機器に供給される。また、機器の消費電力が設定値を越えない場合は制御装置から例えばＬレベルの切断制御信号ＣＳが生成され、その切断制御信号ＣＳに基づいて、制御部によりインバータ部が停止状態にされると共に切り替え部が商用交流電源側に切り替えられ、商用交流電源の交流電源が機器に供給される（例えば、特許文献１参照）。
【先行技術文献】
【特許文献】
【０００６】
【特許文献１】特開２０００−１１６０３０号公報
【発明の概要】
【発明が解決しようとする課題】
【０００７】
しかしながら、上記の技術では、端末等の電力を使う側の所定の電力閾値に合わせてバックアップ電力が必要である。すなわち、電力を使う側の個別制限のみに着目し、電力を供給する側の供給可能な電力の制限を考慮していなかった。
【０００８】
また、管理サーバ等の管理者側から一方的に制御、指示するものであり、端末等の電力を使う側の都合を考慮していなかった。
【０００９】
本発明は、以上のような課題を解決するためになされたもので、電力を供給する側の供給可能な電力の制限および電力を使う側の都合を考慮した使用電力量管理システム、管理サーバ、端末、使用電力量管理システムの制御方法およびプログラムを提供することを目的とする。
【課題を解決するための手段】
【００１０】
本発明の第一の使用電力量管理システムは、複数の端末と、該複数の端末から受信する情報に基づき該複数の端末の駆動状態を制御する管理サーバとが情報のやりとりを行うネットワークを介して接続された使用電力量管理システムであって、前記管理サーバは、前記複数の端末の駆動状態を制御する駆動状態制御手段と、前記複数の端末において所定時間帯に使用が予測される電力量である予測情報を各端末に要求する予測情報要求手段と、を含み、前記複数の端末は、外部から一定の電力を供給可能な商用電源によって駆動する商用電源駆動手段と、内蔵するバッテリによって駆動するバッテリ駆動手段と、前記商用電源駆動手段によって駆動するとき前記バッテリを充電するか否かを制御する充電制御手段と、を含み、前記管理サーバは、前記複数の端末に要求した前記予測情報を時間帯毎に計算することにより求められる総合使用電力量が、前記複数の端末の駆動に用いられる前記商用電源の合計電力量の上限値として前記管理サーバにおいて予め設定された最大電力量を超えないよう、前記バッテリ駆動手段による駆動、前記充電制御手段により前記バッテリを充電しない前記商用電源駆動手段による駆動、前記充電制御手段により前記バッテリを充電する前記商用電源駆動手段による駆動のうち、何れかの駆動によって前記複数の端末を駆動することを各端末に打診し、各端末の応答に従って各端末の駆動状態を制御することを特徴とする。
また、本発明の使用電力量管理システムは、第一の使用電力量管理システムにおいて、管理サーバは、前記ネットワークを介して前記複数の端末に対し前記複数の端末において所定時間帯に使用が予測される電力量が前記最大電力量となる予測情報を要求する情報要求手段と、前記複数の端末において前記所定時間帯に使用が予測される電力量の予測情報から各端末における前記最大電力量を超えない電力の駆動状態を検討する端末動作検討手段と、前記複数の端末の前記所定時間帯における電力量を把握し、前記電力の駆動状態のうち電力量が最も低くなるよう前記複数の端末の駆動状態を制御する端末動作制御手段と、前記複数の端末の駆動状態についての許可を得る問合せ手段と、を含むことを特徴とする。
さらに、本発明の使用電力量管理システムは、第一の使用電力量管理システムにおいて、前記複数の端末は、前記管理サーバからの前記所定時間帯に使用が予測される電力量の予測情報の要求に対して情報提供する情報提供手段と、所定の表示機構に前記複数の端末の駆動状態についての許可を得る打診情報を表示する表示手段と、所定の情報入力機構によりユーザから前記打診情報を許可するか否かの操作を受け付ける操作手段と、前記管理サーバからの前記駆動状態のうち使用する電力量が最も低くなる駆動状態についての問合せに対して回答する回答手段と、を含むことを特徴とする。
【００１１】
本発明の第一の管理サーバは、複数の端末と、該複数の端末から受信する情報に基づき該複数の端末の駆動状態を制御し、該複数の端末と情報のやりとりを行うネットワークを介して接続された管理サーバであって、前記複数の端末の駆動状態を制御する駆動状態制御手段と、前記複数の端末において所定時間帯に使用が予測される電力量である予測情報を各端末に要求する予測情報要求手段と、を含み、前記複数の端末に要求した前記予測情報を時間帯毎に計算することにより求められる総合使用電力量が、前記複数の端末の駆動に用いられ、外部から一定の電力を供給可能な商用電源の合計電力量の上限値として予め設定された最大電力量を超えないよう、前記複数の端末が内蔵するバッテリによる駆動、前記商用電源によって駆動するとき前記バッテリを充電しない前記商用電源による駆動、前記商用電源によって駆動するとき前記バッテリを充電する前記商用電源による駆動のうち、何れかの駆動によって前記複数の端末を駆動することを各端末に打診し、各端末の応答に従って各端末の駆動状態を制御することを特徴とする。
また、本発明の管理サーバは、第一の管理サーバにおいて、前記ネットワークを介して前記複数の端末に対し前記複数の端末において所定時間帯に使用が予測される電力量が前記最大電力量となる予測情報を要求する情報要求手段と、前記複数の端末において前記所定時間帯に使用が予測される電力量の予測情報から各端末における前記最大電力量を超えない電力の駆動状態を検討する端末動作検討手段と、前記複数の端末の前記所定時間帯における電力量を把握し、前記電力の駆動状態のうち電力量が最も低くなるよう前記複数の端末の駆動状態を制御する端末動作制御手段と、前記複数の端末の駆動状態についての許可を得る問合せ手段と、を含むことを特徴とする。
【００１２】
本発明の第一の端末は、管理サーバが受信する情報に基づき駆動状態を制御され、前記管理サーバと情報のやり取りを行うネットワークを介して接続された複数の端末であって、外部から一定の電力を供給可能な商用電源によって駆動する商用電源駆動手段と、内蔵するバッテリによって駆動するバッテリ駆動手段と、前記商用電源駆動手段によって駆動するとき前記バッテリを充電するか否かを制御する充電制御手段と、をそれぞれ含み、前記複数の端末の駆動状態を制御する駆動状態制御手段と、前記複数の端末において所定時間帯に使用が予測される電力量である予測情報を各端末に要求する予測情報要求手段と、を含む前記管理サーバから、前記複数の端末に要求された前記予測情報を時間帯毎に計算することにより求められる総合使用電力量が、前記複数の端末の駆動に用いられる前記商用電源の合計電力量の上限値として前記管理サーバにおいて予め設定された最大電力量を超えないよう、前記バッテリ駆動手段による駆動、前記充電制御手段により前記バッテリを充電しない前記商用電源駆動手段による駆動、前記充電制御手段により前記バッテリを充電する前記商用電源駆動手段による駆動のうち、何れかの駆動によって駆動することを打診され、自らの応答に従って前記自らの駆動状態を制御されることを特徴とする。
また、本発明の端末は、第一の端末において、前記管理サーバからの前記所定時間帯に使用が予測される電力量の予測情報の要求に対して情報提供する情報提供手段と、所定の表示機構に前記自らの駆動状態についての許可を得る打診情報を表示する表示手段と、所定の情報入力機構によりユーザから前記打診情報を許可するか否かの操作を受け付ける操作手段と、前記管理サーバからの前記駆動状態のうち使用する電力量が最も低くなる駆動状態についての問合せに対して回答する回答手段と、を含むことを特徴とする。
【００１３】
本発明の制御方法は、複数の端末と、該複数の端末から受信する情報に基づき該複数の端末の駆動状態を制御する管理サーバとが情報のやりとりを行うネットワークを介して接続された使用電力量管理システムの制御方法であって、前記管理サーバは、前記複数の端末の駆動状態を制御する工程と、前記複数の端末において所定時間帯に使用が予測される電力量である予測情報を各端末に要求する工程と、を含み、前記複数の端末は、外部から一定の電力を供給可能な商用電源によって駆動する工程と、内蔵するバッテリによって駆動する工程と、前記商用電源によって駆動するとき前記バッテリを充電するか否かを制御する工程と、を含み、前記管理サーバは、前記複数の端末に要求した前記予測情報を時間帯毎に計算することにより求められる総合使用電力量が、前記複数の端末の駆動に用いられる前記商用電源の合計電力量の上限値として前記管理サーバにおいて予め設定された最大電力量を超えないよう、前記バッテリによって駆動する工程、前記バッテリを充電しない前記商用電源によって駆動する工程、前記バッテリを充電する前記商用電源によって駆動する工程のうち、何れかの工程によって前記複数の端末を駆動することを各端末に打診し、各端末の応答に従って各端末の駆動状態を制御する工程と、を有することを特徴とする。
【００１４】
本発明のプログラムは、複数の端末と、該複数の端末から受信する情報に基づき該複数の端末の駆動状態を制御する管理サーバとが情報のやりとりを行うネットワークを介して接続された使用電力量管理システムのコンピュータに実行させるプログラムであって、前記管理サーバに、前記複数の端末の駆動状態を制御する処理と、前記複数の端末において所定時間帯に使用が予測される電力量である予測情報を各端末に要求する処理と、を実行させ、前記複数の端末に、外部から一定の電力を供給可能な商用電源によって駆動する処理と、内蔵するバッテリによって駆動する処理と、前記商用電源によって駆動するとき前記バッテリを充電するか否かを制御する処理と、を実行させ、前記管理サーバに、前記複数の端末に要求した前記予測情報を時間帯毎に計算することにより求められる総合使用電力量が、前記複数の端末の駆動に用いられる前記商用電源の合計電力量の上限値として前記管理サーバにおいて予め設定された最大電力量を超えないよう、前記バッテリによって駆動する処理、前記バッテリを充電しない前記商用電源によって駆動する処理、前記バッテリを充電する前記商用電源によって駆動する処理のうち、何れかの処理によって前記複数の端末を駆動することを各端末に打診し、各端末の応答に従って各端末の駆動状態を制御する処理を実行させることを特徴とする。
【発明の効果】
【００１７】
本発明によれば、電力を供給する側の供給可能な電力の制限および電力を使う側の都合を考慮した電力供給を行うことができる。
【図面の簡単な説明】
【００１８】
【図１】本発明の実施の形態に係る電力供給システムの構成図である。
【図２】本発明の実施の形態に係る管理サーバおよび端末の機能ブロック図である。
【図３】本発明の実施の形態に係る処理動作を示すシーケンス図である。
【発明を実施するための形態】
【００１９】
以下、本発明の実施の形態について図面を参照して詳細に説明する。図１に示す本実施の形態における電力供給システムは、管理サーバ１と複数の端末２−１、２−２、・・・、２−ｎ（ｎは３以上の任意の正の整数）とがＬＡＮ（Local Area Network）等のネットワーク３を介して接続されて構成されている。例えば、企業内の所定の部署で所定の契約アンペアでシステムが構築されている状況を想定する。
【００２０】
管理サーバ１は、電力供給元としての電力を供給する管理側であり、電力を使う側の複数の端末２−１、２−２、・・・、２−ｎにおける、利用時間毎の使用電力量を把握し、電力供給する最大電力をできるだけ低くするように複数の端末２−１、２−２、・・・、２−ｎ側への電力供給を制御する情報処理装置である。ワークステーション等により実現されてもよく、既知の種々の構成を備えている。
【００２１】
複数の端末２−１、２−２、・・・、２−ｎは、ここでは、ノートＰＣ（Personal Computer）であるとするが、携帯電話機、携帯音楽プレーヤ、携帯型ゲーム機、家庭用ゲーム機、省スペースＰＣ、薄型テレビ等の種々の情報処理装置であってよく、既知の種々の構成を備えている。
端末２−１、２−２、・・・、２−ｎは、商用電源より交流電力を入力しそれぞれの機器に合わせた形式の直流電力等の電力を出力するＡＣ（Alternating Current：交流）アダプタが接続可能である。
端末２−１、２−２、・・・、２−ｎは、携帯目的から、本体に内蔵された充電式の電池（以下、「バッテリ」という）によって駆動できるように作られており、また小さく軽く作ることが求められる。このような機器では、家庭用商用電源用の電源装置を常時使用するわけではないため、これを本体に内蔵するべきではなく、外部の電源装置を用いて直流電力を供給することが適当だからである。また、バッテリによって駆動することも可能な機器では、ＡＣアダプタの目的として、バッテリを充電するための電流を供給することもある。
端末２−１、２−２、・・・、２−ｎは、ＡＣアダプタ駆動およびバッテリ充電制御回路を制御可能な回路構成を備えている。
【００２２】
図２に、本実施の形態における管理サーバ１および複数の端末２−１、２−２、・・・、２−ｎの機能ブロック図を示す。
【００２３】
管理サーバ１は、情報要求部１１、端末動作検討部１２、端末動作制御部１３および問合せ部１４を有している。
【００２４】
情報要求部１１は、複数の端末２−１、２−２、・・・、２−ｎに対して所定の利用時間における使用電力量の情報等を要求する機能を有している。
【００２５】
端末動作検討部１２は、複数の端末２−１、２−２、・・・、２−ｎの使用電力量の状況から各端末における最適な電力供給方式を検討する機能を有している。
【００２６】
端末動作制御部１３は、複数の端末２−１、２−２、・・・、２−ｎの所定の利用時間における使用電力量を把握し、電力供給する最大電力をできるだけ低くするように端末の動作を制御する機能を有している。
【００２７】
例えば、端末側の電力供給を、次のどれかにし端末の動作を制御する。
Ａ）ＡＣアダプタで駆動、かつ、バッテリ充電する（ＡＣアダプタによる外部電力供給可能）
Ｂ）ＡＣアダプタで駆動、かつ、バッテリ充電しない（ＡＣアダプタによる外部電力供給可能）
Ｃ）バッテリで駆動（ＡＣアダプタによる外部電力供給停止）
【００２８】
問合せ部１４は、複数の端末２−１、２−２、・・・、２−ｎの電力供給を停止する時間（バッテリ駆動：供給電力なし）および電力供給を復活する時間（通常使用電力＋充電電力：供給電力あり）等を端末側へ打診し、端末側のユーザの端末動作制御方法についての許可を得る機能を有している。管理側からの一方的な制御ではなく、端末側のユーザに事前に電力供給方式の変更の了解を得てから制御するのである。
なお、ユーザが許可しない場合、端末動作検討部１２は、他の端末や時間帯について検討する。これにより、ユーザの端末の使い勝手を損なわず、電力供給における最大電力を最適化（低減）することが可能となる。
【００２９】
複数の端末２−１、２−２、・・・、２−ｎは、情報提供部２１、表示部２２、操作部２３および回答部２４を有している。
【００３０】
情報提供部２１は、管理サーバ１の情報要求部１１からの要求に対して情報提供する機能を有している。
【００３１】
表示部２２は、所定の表示機構に情報等を表示する機能を有している。
【００３２】
操作部２３は、所定の情報入力機構によりユーザ等の操作を受け付ける機能を有している。
【００３３】
回答部２４は、管理サーバ１の問合せ部１４からの問合せに対して回答する機能を有している。
【００３４】
以下、本実施の形態における動作について図面を参照して詳細に説明する。
図３は、管理サーバ１と複数の端末２−１、２−２、・・・、２−ｎとの動作を示すシーケンス図である。ここでは、契約アンペア等の制限により管理サーバ１の管理者側における供給可能能力としての最大電力は一例として１００ＫＷｈであることを前提とする。
【００３５】
まず、管理サーバ１の情報要求部１１は、端末２−１、２−２、・・・、２−ｎに対して各自の所定の利用時間における使用電力量の予測情報を要求し（Ｓ３０１）、端末２−１、２−２、・・・、２−ｎはそれらの情報を管理サーバ１に返信する（Ｓ３０２）。例えば、本日の予定および過去の実績等に基づいて予測情報を算定することであってよい。
【００３６】
次に、管理サーバ１の端末動作検討部１２は、複数の端末２−１、２−２、・・・、２−ｎの総合使用電力を計算し、最も使用電力が大きい時間帯を把握する（Ｓ３０３）。
例えば、ＰＭ３時〜４時は１２０ＫＷｈ、ＰＭ４〜５時は８０ＫＷｈ、ＰＭ５〜６時
は５０ＫＷｈとする。
ＰＭ３時〜４時の時間帯に関して、供給可能能力としての最大電力の１００ＫＷｈを超えているので一部の端末への電力供給停止を検討する（Ｓ３０４）。ここでは、複数の端末のうち、例えば端末２−１がＰＭ３時〜４時に３０ＫＷｈ使用することであったので、端末２−１に対する電力供給停止を検討したものとする。
【００３７】
次に、管理サーバ１の問合せ部１４は、複数の端末のうち端末２−１に対してＰＭ３時〜４時の電力供給停止（バッテリで駆動）の打診を行う（Ｓ３０５）。
【００３８】
端末２−１の表示部２２へ電力供給停止の打診が出力され、それに対して端末２−１のユーザが操作部２３を操作する等によりＰＭ３時〜４時の電力供給停止（バッテリで駆動）を許可する旨を返信する（Ｓ３０６）。ここで、例えば、端末２−１のユーザがバッテリ残容量が少ないのに重い処理を実行することを予定していたりする等の場合は電力供給停止を許可しない旨を返信することであってもよい。端末自身はユーザのその後の行動を把握することはできないからである。そのときは管理サーバ１の端末動作検討部１２は、端末２−１以外の他の端末について検討する等の対応をすることであってよい。
【００３９】
そして、管理サーバ１の情報要求部１１は、ＰＭ３時直前に対象端末である端末２−１のバッテリ残容量や現在の使用電力量の情報を要求し（Ｓ３０７）、端末２−１はそれらの情報を管理サーバ１に返信する（Ｓ３０８）。ここではバッテリ残容量は５０ＫＷｈ分であり、現在の使用電力量は予測どおり３０ＫＷｈであるとする。
【００４０】
管理サーバ１の端末動作検討部１２は、端末２−１のバッテリ残容量や現在の使用電力量から安全な駆動時間を計算し、最適な電力供給停止時間帯等を決定する（Ｓ３０９）。
【００４１】
次に、管理サーバ１の問合せ部１４は、端末２−１に対して最適な電力供給停止時間帯等に関する端末動作を通知する（Ｓ３１０）。
例えば、ＰＭ３時〜４時はＣ）バッテリで駆動、ＰＭ４〜５時はＢ）ＡＣアダプタで駆動、かつ、バッテリ充電しない、ＰＭ５〜６時はＡ）ＡＣアダプタで駆動、かつ、バッテリ充電するものとする。
すなわち、端末２−１がＰＭ３時〜４時に３０ＫＷｈ使用するのであれば、ＰＭ３時〜４時の時間帯に関して、供給可能能力としての最大電力の１００ＫＷｈを超えるため、バッテリで駆動させる必要があり、かつバッテリ残容量は５０ＫＷｈ分と十分であり、また、ＰＭ４〜５時の時間帯に関して、端末２−１のバッテリに３０ＫＷｈの充電を認めると、ＰＭ４〜５時は８０ＫＷｈ＋３０ＫＷｈとなりやはり供給可能能力としての最大電力の１００ＫＷｈを超えるため、バッテリ充電させないことが必要であり、一方、ＰＭ５〜６時の時間帯に関して、端末２−１のバッテリに３０ＫＷｈの充電を認めても、５０ＫＷｈ＋３０ＫＷｈとなり供給可能能力としての最大電力の１００ＫＷｈを超えない。
【００４２】
端末２−１の表示部２２へ最適な電力供給停止時間帯等が出力され、それに対して端末２−１のユーザが操作部２３を操作する等によりＯＫ／ＮＧの旨を返信する（Ｓ３１１）。ここで、例えば、端末２−１のユーザがバッテリ残容量が少ないのに重い処理を実行していたり、今後省電力モードになるのにＤＶＤを鑑賞している等の場合は電力供給停止を許可しない旨（ＮＧ）を返信することであってもよい。端末自身はユーザのその後の行動を把握することはできないからである。そのときは管理サーバ１の端末動作検討部１２は、端末２−１以外の他の端末について検討する等の対応をすることであってよい。
【００４３】
管理サーバ１の端末動作制御部１３は、端末２−１の返信がＯＫの場合、端末２−１について所定の回路を制御し設定時間に合わせた電力供給制御を行う（Ｓ３１２）。
これによりＰＭ３時〜４時の端末２−１による使用電力量３０ＫＷｈをＰＭ５時以降に移すことが可能となり、ＰＭ３時〜４時は９０ＫＷｈ、ＰＭ４〜５時は８０ＫＷｈ、ＰＭ５〜６時は８０ＫＷｈであり電力供給元の最大（ピーク）電力を低減することができる。
【００４４】
上記の実施の形態によれば、複数の端末等が設置されている企業としては最大電力低減により契約電力定格を下げることが可能となり、経費削減を図ることができる。また社会的には最大電力供給を低減することにより、電力の安定供給が可能となる。
【００４５】
なお、上述する実施の形態は、本発明の好適な実施の形態であり、本発明の要旨を逸脱しない範囲内において種々変更実施が可能である。また、本発明は、バッテリなど電池を持つ機器に適用可能である。
【符号の説明】
【００４６】
１    管理サーバ
２−１、２−２、・・・、２−ｎ    端末
３    ネットワーク
１１    情報要求部
１２    端末動作検討部
１３    端末動作制御部
１４    問合せ部
２１    情報提供部
２２    表示部
２３    操作部
２４    回答部
【図１】
0005726423.tif 000002
【図２】
0005726423.tif 000003
【図３】
0005726423.tif 000004